(57)【要約】【課題】  疾患による生体情報の変化を加齢による変化とに分離することができ、このように分離した疾患による変化に基づいて生活習慣指導を行うなどして、健康管理を適切に行うことができる生体情報測定装置を実現することである。【解決手段】  生体情報を検出する生体情報検出手段１と、前記生体情報検出手段１によって検出された情報を、加齢の影響を反映できる程度の一定期間をおいて記憶する生体情報記憶手段２と、このように記憶された生体情報の変化量を算出する変化量算出手段３と、前記変化量に対する加齢相応の基準値を記憶する基準値記憶部４と、変化量が前記基準値を超えた場合に疾患に伴う変化であるとする疾患推定手段５を備えている。【選択図】図１
2005304968.tif 000002
【特許請求の範囲】
【請求項１】
生体情報を検出する生体情報検出手段と、前記生体情報検出手段によって検出された情報を、加齢の影響を反映できる程度の一定期間をおいて記憶する生体情報記憶手段と、このように記憶された生体情報の変化量を算出する変化量算出手段と、前記変化量に対する加齢相応の基準値を記憶する基準値記憶部と、変化量が前記基準値を超えた場合に疾患に伴う変化であるとする疾患推定手段を備えたことを特徴とする生体情報測定装置。
【請求項２】
生体情報として脈波を検出することを特徴とする請求項１記載の生体情報測定装置。
【請求項３】
被測定者の年齢、性別等の身体的特性を入力する個人情報入力手段と、この個人情報に対応つけられた前記基準値を選択する基準値選択手段を備え、前記変化量がこのように選択された基準値を超えているかどうかを疾患推定手段にて判定させていることを特徴とする請求項１記載の生体情報測定装置。
【発明の詳細な説明】
【技術分野】
【０００１】
本発明は生体情報測定装置に関するものである。
【背景技術】
【０００２】
加齢および疾患に影響される生体情報として、例えば血管の状態を反映する生体情報がある。「人は血管とともに老いる」と言われるように、加齢に伴い血管も老化するが、生活習慣病に代表されるような疾患があれば、血管の老化が加齢変化以上に加速すると言われている。血管の状態を定量的に評価する指標として、例えば、動脈硬化度がある。非侵襲的に簡便に動脈硬化度を測定できる方法として、近年、脈波伝播速度や加速度脈波等の脈波解析技術を用いて機能的に診断する測定装置が普及している。
同装置では、図７に示すように、例えばある時点での動脈硬化度を測定した単回測定結果に基づいて、危険値を超えていないので循環器機能に問題がない判断することができる。
【０００３】
また、特開２０００−１５７４９９号公報に示されるように、血圧の変化値が予め設定された基準値を超えることにより、血圧の異常を判定する装置が考案されている。同装置は、連続的に血圧を監視する装置において、血圧の異常変動を検知することにより患者に対する迅速な処置を可能とするものある。
【０００４】
しかしながらこれらの技術にあっては、動脈硬化度のように加齢および疾患に影響を受ける生体情報においては、その悪化が加齢相応の生理的な変化によるものなのか、疾患に基づく悪化なのか判別がつかず、短期間の体調変化などによって悪化しているという情報のみを与えるだけである。したがって、被測定者に対して生活習慣指導等の適切なフィードバックを行うことは難しかった。
【特許文献１】特開２０００−１５７４９９号公報
【発明の開示】
【発明が解決しようとする課題】
【０００５】
本願発明は、上記従背景技術に鑑みて発明されたものであり、その課題は、疾患による生体情報の変化を加齢による変化とに分離することができ、このように分離した疾患による変化に基づいて生活習慣指導を行うなどして、健康管理を適切に行うことができる生体情報測定装置を実現することである。
【課題を解決するための手段】
【０００６】
上記課題を解決するために、本願発明の生体情報測定装置にあっては、生体情報を検出する生体情報検出手段と、前記生体情報検出手段によって検出された情報を、加齢の影響を反映できる程度の一定期間をおいて記憶する生体情報記憶手段と、このように記憶された生体情報の変化量を算出する変化量算出手段と、前記変化量に対する加齢相応の基準値を記憶する基準値記憶部と、変化量が前記基準値を超えた場合に疾患に伴う変化であるとする疾患推定手段を備えたことを特徴としている。この場合、生体情報はとしては、特に、循環器機能に関連する情報または脈波を測定することができる。
【０００７】
このような構成によれば、疾患に伴う変化を加齢による変化と区別することができるので、健康管理のための情報として測定者にフィードバックすることが可能になる。
【０００８】
また、被測定者の年齢、性別等の身体的特性を入力する個人情報入力手段と、被測定者の年齢、性別等の特性毎に前記基準値を選択する基準値選択手段と、前記変化量が前記選択された基準値を超えたことに基づいて、加齢に基づく変化と区別して疾患に伴う変化であると推定すれば、年齢、性別等の影響を除くことができ、より、正確に疾患に伴う変化を分離することができる。
【発明の効果】
【０００９】
上記発明によれば、加齢の影響を反映できる程度の一定期間をおいて複数回測定された生体情報の変化量を算出し、変化量が加齢相応の基準値を超えたことに基づいて、客観的に、疾患に伴う悪化の可能性があると推定することが可能である。特に動脈硬化を含めた循環器機能の測定に当たって、疾患の早期発見、予防、生活習慣の指導をより有効に行うことができるものである。
【発明を実施するための最良の形態】
【００１０】
以下に図を参照して以下に本願発明の生体情報測定装置を説明する。
【００１１】
図１は、本発明の生体情報測定装置の一構成例を示すブロック図である。この図において、１は生体情報検出手段であって、この実施例においては特に、加齢および疾患の影響を受ける生体情報を検出する手段である。同生体情報としては、循環器機能、自律神経機能、平衡機能、肌の機能等に関連した生体情報が考えられる。そして、前記生体情報検出手段１により検出された情報を生体情報記憶手段２により、記憶する。このとき、生体情報に加え、測定日時や、年齢、性別等の被験者情報を同時に記憶することが好ましい。
【００１２】
そして、変化量算出手段３により、生体情報の変化量を算出する。最も簡単な例においては、ある時点での測定結果と前回値との差を変化量として算出する。そして、前記算出された変化量と基準値記憶部４において予め設定された変化量の基準値とを、疾患推定手段５において比較し、その結果、前記算出された変化量が前記記憶された変化量の基準値を超えていれば、疾患に伴う悪化であると推定し、その結果を表示器６で表示する。
【００１３】
このとき、前記変化量の基準値は、統計的データに基づいた、健常者における加齢相応の変化量を用いるようにしている。
【００１４】
また、前記測定した生体情報において少なくとも加齢変化が認められるだけの時間を隔てて、前記変化量の基準値を設けるべきである。より具体的には、少なくとも１ヶ月程度の間隔はあけた方が良く、好適には３ヶ月〜1年単位での変化を見るのが良い。このとき、例えば、1ヶ月単位で変化を見る場合に、同1ヶ月間に複数回生体情報を測定した場合は、同月内に測定された生体情報データの平均値を算出し、その平均値を、同月の代表値として、変化を見れば良い。年に1回の健康診断等に用いる測定装置であれば、測定結果を被験者毎に記憶しておき、1年単位での変化傾向を判断する形式が実用的である。なお、短期間の体調変化による数値の除くため、月内に数回測定して、明らかに以上と考えられる値が検出されれば、これを除いて変化傾向を判断するべきである。
【００１５】
図２はこのようにして測定した、動脈硬化度の変化を月単位でプロットしたグラフを示している。このグラフにおいて、基準値は右側にＡとして示されており、測定月はａ、ｂ、ｃ、ｄ、ｅとなっている。この図において、ｃからｄへと、ｄからｅへの変化は基準値Ａを超えているので、疾患に伴う悪化であると推定することができる。
【００１６】
また、測定の出力結果を健康診断の結果を示す表として、疾患による悪化の可能性がある旨を併記しておけば、推移傾向を特にグラフ表示しなくても、被測定者に危険の可能性がある旨報知できる。また、前記のように測定日時を記憶することにより、日内変動を示す生体情報においては、同一時刻帯の測定結果のみを選び出し、同測定結果の変化量に基づいて疾患に伴う悪化がどうかを推定することが可能であり、より信頼性の高い推定結果が得られる。同様に、測定条件において食前か、食後かを記憶する手段を備えていれば、食前の値、食後の値のみを選択して、評価することができて好適である。また、変化量に関しては、上記図２に示した測定値の差だけでなく、例えば、変化率等であってもよく、値の変化を定量的に表すものであれば、種々の数値を用いることができる。
【００１７】
また、図３に、数段階の異なる基準値に対する表示内容を一例として表にして示している。このように、前記基準値を数段階、この場合は４段階設け、疾患に伴う悪化がある場合であっても、その基準値の各段階、より具体的には悪化量の度合い、に応じて設定された、被測定者への対処方法をそれぞれ表示すれば、悪化の程度に合わせて適切な対処ができるので、より好適である。
【００１８】
さらに、生体情報としては、循環器機能に関連した情報、例えば動脈硬化度、血圧値等を用いることが特に望ましい。心脳血管疾患は、死因としては癌に匹敵し、動脈硬化症は要介護の最も大きな成因とも言われ、動脈系は最適の老化指標と言われている。生活習慣病は全て、血管をターゲットにしているとも言われ、血管の状態を把握することにより、早期疾患の発見や予防に繋がることが期待できる。
【００１９】
また、脈波を検出して抽出することにより、非侵襲的に簡便に測定することが可能であり、四肢のカフ圧脈波、上腕ないし手首のカフ圧脈波または光電脈波、指尖の光電脈波等、多様なハード構成により、実現可能である。また構成により、動脈硬化度と血圧を同時に測定することも可能であり、様々な情報を簡便に得ることが可能である。
【００２０】
図４は、具体的な生体情報測定装置の一構成例を示すブロック図である。この装置では、前記生体情報検出手段１が、脈波を検出することにより成り、例えば、カフ７、圧力検出部８、圧力制御部９、脈波検出部１０、循環器機能推定部１１より構成される。カフ７は、使用者の上腕部に巻回された状態で取り付けられる。カフ７を加圧するための加圧ポンプおよびカフ７を減圧するための排気弁を備えている圧力制御部９により、カフ７の加圧を行って上腕部を圧迫し、例えば、一旦、被測定者の予想される収縮期血圧値より高い所定の目標圧まで昇圧した後、微速で減圧する過程で、圧力センサを備える圧力検出部８において圧力信号を検出し、得られた圧力信号をA／D変換して、所定のフィルタを備えている脈波検出部１０において脈波信号を検出する。循環器機能推定部１１において、一般に知られたオシロメトリック法により脈波の時系列的変化パターンより血圧値を推定することができる。さらには、脈波の形状には心臓や血管の状態が反映されていると言われているが、その脈波の形状から動脈硬化に関する所定のパラメータを抽出することにより、動脈硬化度を推定したりして、循環器機能に関連した情報を抽出することができる。このようにして得られた生体情報を用いて、先に図１を用いて説明したように、血圧値や動脈硬化度の変化量を変化量算出手段３で算出して、疾患推定手段５により、予め基準値記憶部４で設定された基準値を超える場合は、加齢以外の疾患に伴った悪化の可能性があるとして、表示器６で、その旨表示する。
【００２１】
さらに、図５のブロック図に示す装置では、以上のような態様に加えて、被測定者の年齢、性別等の身体的特性を入力する個人情報入力手段１２と、被測定者の年齢、性別等の特性毎に前記基準値を選択する基準値選択手段１３と、前記変化量が前記選択された基準値を超えたことに基づいて疾患に伴う悪化であると推定する疾患推定手段５を備えている。このような構成によれば、被験者の年代や性別を加味して、より正確に疾患を推定することができる。
【００２２】
図６は年代毎に前記基準値を設定した例を示すグラフ図である。この図に示すように、年代の上昇に伴って、基準値を上げていけば、それぞれの年代毎に疾患に伴う悪化を検出することができる。また、血管の状態に関連した冠動脈疾患では、男性は45歳から、女性は55歳から死亡率や発症率が上昇してくることが知られており、性別によって、加齢とともに悪化する生理的変化量が異なるため、被測定者の性別によっても、基準値を選択することが好適である。
【図面の簡単な説明】
【００２３】
【図１】本願発明の生体情報測定装置の一構成例を示すブロック図である。
【図２】同生体情報測定装置の一実施形態によって測定した動脈硬化度の変化を月単位でプロットしたグラフ図である。
【図３】同生体情報測定装置の一実施形態において、異なる基準値に対する表示内容を表にして例示した図である。
【図４】同生体情報測定装置の一構成例を示すブロック図である。
【図５】同生体情報測定装置の一構成例を示すブロック図である。
【図６】同生体情報測定装置において年代毎に基準値を異ならせて設定した例を示すグラフ図である。
【図７】従来例を説明するグラフ図である。
【符号の説明】
【００２４】
１  生体情報検出手段
２  生体情報記憶手段
３  変化量算出手段
４  基準値記憶部
５  疾患推定手段
６  表示器
７  カフ
８  圧力検出部
９  圧力制御部
１０  脈波検出部
１１  循環器機能推定部
１２  個人情報入力手段
１３  基準値選択手段
【図１】
2005304968.tif 000003
【図２】
2005304968.tif 000004
【図３】
2005304968.tif 000005
【図４】
2005304968.tif 000006
【図５】
2005304968.tif 000007
【図６】
2005304968.tif 000008
【図７】
2005304968.tif 000009